(57)【要約】【課題】より着用しやすいネクタイを提供するためのネクタイの位置合わせ印位置算出方法、より確実にネクタイ着用者の好みに合ったネクタイの寸法を算出できるネクタイの寸法算出方法及びこれを実現するためのネクタイの寸法算出プログラム、これらの少なくともいずれかを用いたネクタイの製造方法を提供する。【解決手段】本発明の一観点に係るネクタイの位置合わせ印位置算出方法は、衿元からネクタイの大剣先位置までの大剣先長さを記録するステップ、大剣先長さに基づき、少なくとも一つの位置合わせ印の設定位置を算出するステップ、を備えるものである。また、本観点においては、限定されるわけではないが、ネクタイの結び種類を記録するステップ、をさらに備えており、少なくとも一つの位置合わせ印の設定位置を算出するステップは、ネクタイの結び種類にも基づき位置合わせ印の設定位置を算出するものであることが好ましい。【選択図】図１
2020133049.tif 000002
【特許請求の範囲】
【請求項１】
衿元からネクタイの大剣先位置までの大剣先長さを記録するステップ、
前記大剣先長さに基づき、少なくとも一つの位置合わせ印の設定位置を算出するステップ、を備えるネクタイの位置合わせ印位置算出方法。
【請求項２】
ネクタイの結び種類を記録するステップ、をさらに備えており、
前記少なくとも一つの位置合わせ印の設定位置を算出するステップは、前記ネクタイの結び種類にも基づき前記位置合わせ印の設定位置を算出する請求項１記載のネクタイの位置合わせ印位置算出方法。
【請求項３】
衿元からネクタイの大剣先位置までの大剣先長さを記録するステップ、
前記大剣先長さに基づきネクタイの寸法を算出するステップ、を備えるネクタイの寸法算出方法。
【請求項４】
衿元からノット下端までのノット長さを記録するステップ、
前記衿元からスーツとネクタイの交差点までのクロスライン長さを記録するステップ、
前記交差点位置におけるネクタイ幅長さを記録するステップ、
前記ノット長さ、前記クロスライン長さ、及び、前記ネクタイ幅長さに基づきネクタイの寸法を算出するステップ、を備えるネクタイの寸法算出方法。
【請求項５】
衿元からネクタイの大剣先位置までの大剣先長さを記録するステップ、
前記大剣先長さに基づきネクタイの寸法を算出するステップ、
算出した前記ネクタイの寸法に基づき、芯材及び前記芯材を覆う表材を製造するステップ、を備えるネクタイの製造方法。
【請求項６】
コンピュータに、
衿元からネクタイの大剣先位置までの大剣先長さを記録するステップ、
前記大剣先長さに基づき、ネクタイの寸法を算出するステップ、を実行させるためのネクタイの寸法算出プログラム。
【発明の詳細な説明】
【技術分野】
【０００１】
本発明は、ネクタイの位置合わせ印位置算出方法、ネクタイの寸法算出方法、ネクタイの製造方法、及び、ネクタイの寸法算出プログラムに関する。
【背景技術】
【０００２】
ネクタイは、主として男性が着用するワイシャツ等の首周りに巻きまわし胸元から剣先を下げる装飾用付属品であり、ビジネス活動を行う上で必要なものである。
【０００３】
ところで、ネクタイには様々な結び方が存在し、また、長さ、寸法（サイズ）のものが存在する。この結び方等によってその見た目は大きく異なる。
【０００４】
一般に、ネクタイに関する公知の技術としては、例えば下記特許文献に記載の技術が記載されている。
【先行技術文献】
【特許文献】
【０００５】
【特許文献１】実用新案登録第３１５２８９８号明細書
【発明の概要】
【発明が解決しようとする課題】
【０００６】
ところで、ネクタイは、衿のあるシャツだけでなくスーツとともに着用されることが一般的であり、更にこのネクタイを着用する者（ネクタイ着用者）の体格などによっても大きく長さが異なる。すなわち、ネクタイは、スーツとそのネクタイ着用者の体格などによって見栄えが大きく異なり、その体格やスーツ等に応じて調整することが非常に重要である。
【０００７】
しかしながら、上記技術は、あくまでネクタイの材質などに関するものであって、その寸法をどのように調整するかといったことについては、いまだ検討されていない。
【０００８】
また、ネクタイは着用する際に剣先（大剣先と小剣先）をそろえて着用するものであるが、ネクタイの結びを開始する位置によってその剣先位置関係は大きく異なってしまうため、見た目を良くするため、結びなおすなどの手間が大きくなってしまうといった課題もある。
【０００９】
そこで、本発明は上記課題に鑑み、より着用しやすいネクタイを提供するためのネクタイの位置合わせ印位置算出方法、より確実にネクタイ着用者の好みに合ったネクタイの寸法を算出できるネクタイの寸法算出方法及びこれを実現するためのネクタイの寸法算出プログラム、これらの少なくともいずれかを用いたネクタイの製造方法を提供することを目的とする。
【課題を解決するための手段】
【００１０】
上記課題を解決する本発明の一観点に係るネクタイの位置合わせ印位置算出方法は、衿元からネクタイの大剣先位置までの大剣先長さを記録するステップ、大剣先長さに基づき、少なくとも一つの位置合わせ印の設定位置を算出するステップ、を備えるものである。
【００１１】
なお、本観点においては、限定されるわけではないが、ネクタイの結び種類を記録するステップ、をさらに備えており、少なくとも一つの位置合わせ印の設定位置を算出するステップは、ネクタイの結び種類にも基づき位置合わせ印の設定位置を算出するものであることが好ましい。
【００１２】
また、本発明の他の一観点に係るネクタイの寸法算出方法は、衿元からネクタイの大剣先位置までの大剣先長さを記録するステップ、大剣先長さに基づきネクタイの寸法を算出するステップ、を備えるものである。
【００１３】
衿元からネクタイの大剣先位置までの大剣先長さを記録するステップ、襟元からノット下端までのノットの長さを記録するステップ、襟元からスーツとネクタイの交差点までのクロスライン長さを記録するステップ、交差点位置におけるネクタイ幅長さを記録するステップ、以上４点の理想の長さを記録する際に、着用後のネクタイのシルエットのイメージが湧くように、ゲージネクタイを利用することが好ましい。ネクタイを製造販売する者は、４点の理想の長さを決定する際に、ゲージネクタイを利用して、ネクタイを購入する者に着用、もしくは、画像上で着用しているように画像を加工して、そのゲージネクタイに対して、４点の理想の長さの増減を記録することで、より正確に、４点の理想の長さを導き出すことができる。ゲージネクタイがネクタイを購入する者の４点の理想の長さの着用後のネクタイのシルエットであるならば、そのまま、ゲージネクタイと同様なシルエットとなるネクタイを提供することが可能である。また、画像上のゲージネクタイを加工して、４点が理想の長さになるようなシルエットにして、そのネクタイを提供することも可能である。ゲージネクタイは、どんな形態のネクタイであっても、画像であっても、シャツ・紙等に書かれたネクタイでも可能であるが、あらかじめ結ばれている結びネクタイを用いることがネクタイを結ぶ手間が省けることと、ゲージネクタイを何度も使用することにより破損するリスクがなくなる点で、好ましい。また、遠隔の場合を考えると、画像を加工することで、着用後のイメージとなるゲージネクタイを提供することが好ましい。
【００１４】
また、本発明の他の一観点に係るネクタイの寸法算出方法は、衿元からノット下端までのノット長さを記録するステップ、衿元からスーツとネクタイの交差点までのクロスライン長さを記録するステップ、交差点位置におけるネクタイ幅長さを記録するステップ、ノット長さ、クロスライン長さ、及び、ネクタイ幅長さに基づきネクタイの寸法を算出するステップ、を備えるものである。
【００１５】
また、本発明の他の一観点に係るネクタイの製造方法は、衿元からネクタイの大剣先位置までの大剣先長さを記録するステップ、大剣先長さに基づきネクタイの寸法を算出するステップ、算出したネクタイの寸法に基づき、芯材及び芯材を覆う表材を製造するステップ、を備えるものである。
【００１６】
また、本発明の他の一観点に係るネクタイの寸法算出プログラムは、コンピュータに、衿元からネクタイの大剣先位置までの大剣先長さを記録するステップ、大剣先長さに基づき、ネクタイの寸法を算出するステップ、を実行させるためのものである。
【発明の効果】
【００１７】
以上、本発明によって、より着用しやすいネクタイを提供するためのネクタイの位置合わせ印位置算出方法、より確実にネクタイ着用者の好みに合ったネクタイの寸法を算出できるネクタイの寸法算出方法及びこれを実現するためのネクタイの寸法算出プログラム、これらの少なくともいずれかを用いたネクタイの製造方法を提供することができる。
【図面の簡単な説明】
【００１８】
【図１】実施形態１におけるネクタイ寸法算出方法における長さや位置などのイメージを示す図である。
【図２】実施形態１における本寸法算出方法によって算出されたネクタイの寸法データのイメージを示す図である。
【図３】実施形態１における表材の形状のイメージを示す図である。
【図４】実施形態１におけるネクタイにおける位置合わせ印のイメージを示す図である。
【図５】実施形態２における本寸法算出方法における各種長さのイメージを示す図である。
【図６】実施形態２における本寸法算出方法によって算出されるネクタイの寸法などのイメージを示す図である。
【発明を実施するための最良の形態】
【００１９】
以下、本発明の実施形態について、図面を用いて詳細に説明する。ただし、本発明は多くの異なる形態による実施が可能であり、以下に示す実施形態に例示された記載にのみ限定されるわけではない。
【００２０】
（実施形態１）
本実施形態に係るネクタイの製造方法（以下「本製造方法」という。）は、ネクタイの寸法を算出するネクタイの寸法算出ステップ（Ｓ１）と、これにより算出されたネクタイの寸法に基づき芯材及び表材を製造するステップ（Ｓ２）とを有する。なお、ネクタイの寸法算出ステップＳ１は、それ自体でも産業上の利用可能性があり、ネクタイの寸法算出方法（以下「本寸法算出方法」ともいう）（Ｓ１）ということもできる。
【００２１】
そして、上記本寸法算出方法（Ｓ１）は、さらに細かく分類することが可能であり、衿元からネクタイの大剣先位置までの大剣先長さを記録するステップ（Ｓ１−１）、大剣先長さに基づきネクタイの寸法を算出するステップ（Ｓ１−２）、を備える。
【００２２】
本寸法算出方法（Ｓ１）は、何人であっても使用することができるが、一般には、ネクタイを製造販売する者が、ネクタイを購入する者に対して行う役務の一部として使用することができる。また、後述の記載から明らかであるが、本寸法算出方法は、いわゆるコンピュータを用いて実現することができる。詳細は後述の記載から明らかとなるが、大剣先長さ等の情報を含むデータをコンピュータ等の記録媒体に記録させ、プログラムや表計算を行わせるソフトウェア等を用いて所定の処理を行わせることで結果データを出力することによって実現可能である。
【００２３】
まず、図１に、本寸法算出方法（Ｓ１）において用いる各種位置、長さ等の概略を示すとともに、下記において上記各ステップについて説明する。
【００２４】
まず、本寸法算出方法（Ｓ１）では、衿元からネクタイの大剣先位置までの大剣先長さを記録するステップ（Ｓ１−１）を備える。本ステップにおいて、「衿元」とは、ネクタイを着用する者（以下「ユーザー」という。）の衿元位置をいい、具体的には、ユーザーがネクタイを着用するために着るシャツの衿元上端位置をいい、ユーザーがネクタイを結んだ場合のネクタイ上端となりうる位置である。
【００２５】
また、本寸法算出方法において、「大剣先長さ」とは、上記衿元からユーザーがネクタイを着用した場合に、そのネクタイの大剣先位置（ネクタイの太い側の一端であって、ネクタイを着用した際に外側に来る側の端）までの長さをいう。大剣先位置はユーザーがサンプルネクタイやサンプルシャツを実際に着用することで好ましい位置を定めることとしてもよいが、サンプルネクタイを着用せず、ユーザーの実際の体のサイズを確認しながら、好ましい衿元及び大剣先の位置を想定しながら定めてもよい。なお、衿元はサンプルシャツを着用している場合はその衿元上端、サンプルシャツを着用していない場合等は、ユーザーの喉や鎖骨の位置を基準に定めることが好ましいがこれに限定されない。また、大剣先の位置も、ユーザーのベルトに大剣先が接触する程度の位置であることが好ましいが、ベルトを着用していない場合や、カジュアルパンツ等を着用している場合は、腰骨の位置を基準に定めることが好ましいが、ユーザーの好みによって適宜位置調整が可能であり、これに限定されない。
【００２６】
また、本寸法算出方法は、大剣先長さに基づきネクタイの寸法を算出するステップ（Ｓ１−２）を備える。
【００２７】
本ステップでは、大剣先長さを用いることで、ユーザーが着用した際にきれいに見えるネクタイの寸法を確保することができる。すなわち、この寸法を確保することによってユーザーは常に衿元から大剣先位置まで同じ大剣先長さを確保することができるようになる。図２に、本寸法算出方法によって算出されたネクタイの寸法データのイメージ図を示す。
【００２８】
本ステップでは、大剣先位置が確定するため、この大剣先位置から大剣先長さを確保することで衿元位置が確定する。そして、この衿元から、ネクタイを巻きまわしてノットにするために必要な巻き代の長さ（巻き代長さ）、ノットの幅となるノット幅長さ、ネクタイの結び種類に基づき設定される結び長さ、ユーザーの首の長さに応じた首長さ、更に、この位置から小剣先までの長さ（小剣先長さ）、をデータとして入力し、加えていくことで、ネクタイ全体の寸法データを得ることができる。
【００２９】
上記において、巻き代長さは、上記の通り、ネクタイを巻きまわしてノットにするために必要な巻き代の長さをいう。より具体的には、ネクタイは大剣先から衿元までは真っすぐ鉛直方向に延びる。一方、衿元から先は一度９０度程度折り曲げられ、衿元において巻かれ、ノットを形成する。すなわち、この折り曲げられ、ノットとして表に現れるまでの部分の長さについて予め長さを確保しなければならない。この巻き代長さとしては、限定されるわけではないが、例えば４ｃｍ以上６ｃｍ以下の範囲であることが好ましい。
【００３０】
また上記において、ノット幅長さは、ノットの幅に該当する長さである。このノットの幅は、衿元におけるノットの長さであり、好みによって適宜調整可能であるが、概ね３ｃｍ以上５ｃｍ以下であることが好ましい。
【００３１】
また上記において、結び長さは、ユーザーが想定する結びの種類によって異ならせることができる。限定されるわけではないが、一般的な結び方は、例えばプレーンノット、ダブルノット、スモールノット、オリエンタルノット、ウインザーノット、セミウインザーノット、クロスノット等を例示することができ、プレーンノットの場合は例えば5ｃｍ以上7ｃｍ以下、ダブルノットの場合は例えば11ｃｍ以上15ｃｍ以下、オリエンタルノットの場合は例えば2ｃｍ以上4ｃｍ以下、ウインザーノットの場合は例えば22ｃｍ以上28ｃｍ以下、セミウインザーノットの場合は例えば11ｃｍ以上15ｃｍ以下、であることが好ましい。このようにすることで、結び方によって最適な長さを確保できる。
【００３２】
また上記において、首長さは、ユーザーの首周りの長さをいう。これを確保することで、ユーザーの首の長さに合わせてネクタイの寸法の最適化を図ることができる。この長さは、ユーザーの首の周りの長さを実際に計測することで得ることができる。
【００３３】
そして、最後に、この単点から小剣先までの長さ（小剣先長さ）、を確保する。小剣先長さは、ネクタイを着用した際、大剣先と小剣先が同じ高さ又は所定の位置となるよう調整するための長さであり、大剣先と小剣先を同じ高さにしたい場合は大剣先長さと同じとし、所定の位置となることを希望する場合は、その分短くする又は長くすることで設定可能である。
【００３４】
この結果、大剣先から小剣先までのネクタイの全長を算出することが可能となる。
【００３５】
なお、本ステップでは、上記長さの他、そのそれぞれの位置におけるネクタイの幅についてもデータを入力し、算出させることとしてもよい。特に、ノットの位置における幅はノットの高さにも対応しているため、幅を定めることは重要である。この点については後述の他の実施形態においても詳述される。
【００３６】
また、本製造方法では、上記のとおり、算出したネクタイの寸法に基づき、芯材及び芯材を覆う表材を製造するステップ（Ｓ２）を有する。芯材は、上記算出したネクタイの寸法から４ｍｍ程度小さくした寸法として再設計して切り出すことが可能であり、表材は縫い代を含めてこの芯材を覆う形状とすることが好ましい。
【００３７】
すなわち、本ステップでは、ネクタイの芯材の寸法を算出するステップ（Ｓ２−１）、ネクタイの表材の寸法を算出するステップ（Ｓ２−２）を含み、これらに基づき、素材から芯材を切り出すステップ（Ｓ２−３）、素材から表材を切り出すステップ（Ｓ２−４）、を備えていることが好ましい。
【００３８】
なお、本製造方法において、芯材の材質は特に限定されず、様々な素材を用いることができるが、例えばウール、ポリエステル、アセテート繊維などを例示することができる。また、表材においても、様々な素材を用いることができるが、例えばシルク、コットン、麻、ウール、ポリエステル等を例示することができる。
【００３９】
上記の通り、ネクタイの芯材の寸法を算出するステップ（Ｓ２−１）では、上記算出したネクタイの寸法と相似形であって、外側から２ｍｍ程小さくした形状をネクタイの芯材として算出することが好ましい。
【００４０】
また、ネクタイの表材の寸法を算出するステップ（Ｓ２−２）は、上記算出したネクタイの寸法又は芯材の寸法に基づいて表材の平面形状を算出する。なお、表材の形状のイメージ図について図３に示しておく。
【００４１】
ところで、本製造方法では、表材を芯材に、手や機械などで縫い付けてから、ひっくり返すことで、製造することもできるが、更に、表材を芯材周囲に巻きつけてから、手で縫い合わせるステップ（Ｓ２−５）を含むことがひっくり返しの工程を含まないため、表材の長さが変わらないため、好ましい。これにより、ネクタイとして完成させることが可能となる。なお、この工程の後は、更に、表材に更にループ、ネームタグ、及びかんぬきを付するステップ（Ｓ２−６）を備えていることが好ましい。このようにすることで、ネクタイを完成させることができる。
【００４２】
ところで、本製造方法では、上記ステップＳ１において、少なくとも一つの位置合わせ印の設定位置を算出するステップ（Ｓ１−３）、を備えていることが好ましく、更に、（Ｓ４）少なくとも一つの位置合わせ印を付するステップ（Ｓ２−７）、を備えていることが好ましい。このようにすることで、ユーザーはネクタイを結ぶ際にこの位置を目印にでき、より安定的かつきれいにネクタイを結ぶことが可能となる。この場合のネクタイにおける位置合わせ印のイメージ図を図４に示しておく。
【００４３】
本ステップにおいて、位置合わせ印とは、ユーザーがネクタイを着用する際、結び始めの基準（位置合わせ）となる位置に付される印をいう。この印はネクタイに付されるものであって、基準となる限りにおいて限定されず、アップリケ、刺繍、かんぬき等を例示することができるがこれに限定されない。しかし、修正する場合を考えると手刺繍が好ましい。なおこの位置合わせ印は、ネクタイが着用された際、ノット等で隠れる位置となることが好ましい。
【００４４】
本ステップ（Ｓ１−３）において、位置合わせ印の設定位置としては、限定されるわけではないが、例えば、大剣先から大剣先長さに所定の長さを加えた位置として設定することが好ましい。この「所定の長さ」は適宜調整可能であり、一定量であってもよく、また、衿元位置から、上記した長さ、具体的にはネクタイを巻きまわしてノットにするために必要な巻き代の長さ（巻き代長さ）、ノットの幅となるノット幅長さ、ネクタイの結び種類に基づき設定される結び長さを足した位置としておくことが好ましい。この位置が、ネクタイを着用する際、首に巻いてクロスさせる基準となる位置であるためである。この位置に位置合わせ印を設定することで、使用者は、ネクタイの結び位置を確実に定めることができ、より美しいネクタイの着用を行うことができる。なお、上記一定量とする場合は、予め上記の想定される長さを足し合わせた長さとしておくことが好ましい。
【００４５】
なお、ネクタイの結び種類に基づき設定される結び長さについては、上記説明したステップ（Ｓ１−２）と同様である。
【００４６】
以上、本実施形態によって、より着用しやすいネクタイを提供するためのネクタイの位置合わせ印位置算出方法、より確実にネクタイ着用者の好みに合ったネクタイの寸法を算出できるネクタイの寸法算出方法及びこれを実現するためのネクタイの寸法算出プログラム、これらの少なくともいずれかを用いたネクタイの製造方法を提供することができる。
【００４７】
（実施形態２）
本実施形態に係るネクタイの製造方法は、上記実施形態１とほぼ同じである。ただし、ネクタイの寸法算出方法において入力するデータが異なる。この点を中心に説明し、それ以外の部分については上記実施形態１と同様である。
【００４８】
本実施形態に係るネクタイの製造方法は、基本的に上記実施形態１と同様であるが、ネクタイの寸法算出方法において異なる部分を備える。本実施形態に係る寸法算出方法（以下「本寸法算出方法」という。）（Ｓ３）は、衿元からノットの下端までのノット長さを記録するステップ（Ｓ３−１）、衿元からスーツとネクタイの交差点までのクロスライン長さを記録するステップ（Ｓ３−２）、交差点位置におけるネクタイ幅長さを記録するステップ（Ｓ３−３）、衿元からネクタイの大剣先位置までの大剣先長さを記録するステップ（Ｓ３−４）、ノット長さ、クロスライン長さ、及び、ネクタイ幅長さに基づき、ネクタイの寸法を算出するステップ（Ｓ３−５）、を備えている。図５は、本寸法算出方法における各種長さのイメージを示す図である。
【００４９】
本寸法算出方法では、上記の通り、衿元からノットの下端までのノット長さを記録するステップ（Ｓ３−１）を備える。これにより、美しいノットを確保することが可能となる。
【００５０】
また、本寸法算出方法では、上記の通り、衿元からスーツとネクタイの交差点までのクロスライン長さを記録するステップ（Ｓ３−２）を備える。ここで「交差点」とは、スーツとネクタイが交差する位置をいう。これ以下の位置はスーツによってネクタイの側部が覆われることとなる。すなわち、これ以上の位置がネクタイの幅として現れる位置となる。これを計算することで、美しいネクタイの着用を可能とする。
【００５１】
また、本寸法算出方法では、上記の通り、交差点位置におけるネクタイ幅長さを記録するステップ（Ｓ３−３）を備える。交差点位置におけるネクタイ幅を備えることで、美しく見えるネクタイを実現できる。
【００５２】
また、本寸法算出方法では、上記の通り、衿元からネクタイの大剣先位置までの大剣先長さを記録するステップ（Ｓ３−４）を備える。これは、ネクタイの下端を定めることで、より確実に美しいネクタイを定めるのに重要なステップである。ただし、ネクタイの下端がスーツによって隠れてしまう場合等においては省略することは可能である。
【００５３】
また、本寸法算出方法においては、ノット長さ、クロスライン長さ、及び、ネクタイ幅長さに基づき、ネクタイの寸法を算出するステップ（Ｓ３−５）を備える。このステップは、上記実施形態におけるネクタイの寸法を算出するステップ（Ｓ１−２）と同様の処理を行うことが可能である。
【００５４】
ここで、図６に、本寸法算出方法によって算出されるネクタイの寸法などのイメージを示す。本図で示すように、本ネクタイは、大剣先位置から大剣先長さ分の位置に衿元の位置が存在し、更に、この衿元位置から巻き代の長さ（巻き代長さ）、ノットの幅となるノット幅長さ、ネクタイの結び種類に基づき設定される結び長さ、小剣先長さを算出する。そしてこの際、大剣先位置から交差点までの距離を読み出し、この位置におけるネクタイの幅をネクタイ幅長さとして設定する。また、衿元位置から巻き代長さを足した後求められるノットの位置の幅をノット長さとなるよう設定する。これにより、上記示したネクタイ形状を安定的に確保することが可能となる。
【００５５】
なお、上記において、大剣先の位置を省略する場合は、衿元位置を基準とすることができる。具体的には、衿元位置を中心位置としてこれから巻き代の長さを加えてノット位置を定めてその位置におけるネクタイの幅をノット長さとして定め、衿元位置から交差点位置を算出し、その位置におけるネクタイの幅を交差点位置におけるネクタイ幅長さとすることで、相対的な位置を確保することが可能となる。
【００５６】
以上、本実施形態によって、より着用しやすいネクタイを提供するためのネクタイの位置合わせ印位置算出方法、より確実にネクタイ着用者の好みに合ったネクタイの寸法を算出できるネクタイの寸法算出方法及びこれを実現するためのネクタイの寸法算出プログラム、これらの少なくともいずれかを用いたネクタイの製造方法を提供することができる。
【００５７】
また、本実施形態では説明を省略しているが、上記実施形態１で言及した位置合わせ印についても同様に設定することも好ましいことはいうまでもない。
【産業上の利用可能性】
【００５８】
本発明は、ネクタイの位置合わせ印位置算出方法、より確実にネクタイ着用者の好みに合ったネクタイの寸法を算出できるネクタイの寸法算出方法及びこれを実現するためのネクタイの寸法算出プログラム、これらの少なくともいずれかを用いたネクタイの製造方法として産業上の利用可能性がある。
【図１】
2020133049.tif 000003
【図２】
2020133049.tif 000004
【図３】
2020133049.tif 000005
【図４】
2020133049.tif 000006
【図５】
2020133049.tif 000007
【図６】
2020133049.tif 000008